(57)【要約】【課題】原稿の読取りの能率を向上させる。【解決手段】第１および第２読取り部と、第１および第２原稿をそれぞれ載置する第１および第２原稿トレイと、第１原稿トレイから第１原稿を第１読取り部へ搬送して第１原稿の第１面を読み取らせる第１搬送路と、第１読取り部で読取られた第１原稿を第２読取り部へ搬送して第１原稿の第２面を読み取らせる第２搬送路と、第２原稿トレイから第２原稿を第１読取り部へ搬送して第２原稿の第１面を読取らせる第３搬送路と、第１原稿トレイから第１原稿を第１読取り部を迂回して第２搬送路へ搬送し第２読取り部に第１原稿の第１面を読取らせる第４搬送路と、第１原稿トレイからの第１原稿が第１搬送路又は第４搬送路へ選択的に搬送されるように搬送路を切り換える切換え部材と、読取り条件を設定する読取り条件入力部と、設定された読取り条件に応じて第１および第２読取り部と第１〜４搬送路と切換え部材を制御する読取り制御部とを備える画像読取り装置。【選択図】図１
2012004808.tif 000002
【特許請求の範囲】
【請求項１】
第１および第２読取り部と、第１および第２原稿をそれぞれ載置する第１および第２原稿トレイと、第１原稿トレイから第１原稿を第１読取り部へ搬送して第１原稿の第１面を読み取らせる第１搬送路と、第１読取り部で読取られた第１原稿を第２読取り部へ搬送して第１原稿の第２面を読み取らせる第２搬送路と、第２原稿トレイから第２原稿を第１読取り部へ搬送して第２原稿の第１面を読取らせる第３搬送路と、第１原稿トレイから第１原稿を第１読取り部を迂回して第２搬送路へ搬送し第２読取り部に第１原稿の第１面を読取らせる第４搬送路と、第１原稿トレイからの第１原稿が第１搬送路又は第４搬送路へ選択的に搬送されるように搬送路を切り換える切換え部材と、読取り条件を設定する読取り条件入力部と、設定された読取り条件に応じて第１および第２読取り部と第１〜４搬送路と切換え部材を制御する読取り制御部とを備える画像読取り装置。
【請求項２】
読取り条件入力部が、第１および第２読取り部の読取り解像度を設定する機能をさらに備える請求項１記載の画像読取り装置。
【請求項３】
読取り条件設定部によって、第１原稿の両面と第２原稿の片面の読取りが設定されたとき、読取り制御部は、第１原稿が第１搬送路に搬送されるように切り換え部材を切り換え、第１および第２原稿の第１面が第１読取り部で交互に読み取られ、かつ、第１原稿の第２面が第２読取り部で読み取られるように、第１および第２読取り部と、第１，第２および第３搬送路とを制御する請求項１記載の画像読取り装置。
【請求項４】
請求項１記載の画像読取り装置と、前記画像読取り装置で読取った画像を印刷する印刷部と、印刷条件を設定する印刷条件設定部と、設定された印刷条件に応じて印刷部を制御する印刷制御部を備えた画像形成装置。
【請求項５】
読取り制御部および印刷制御部は、第１原稿の読取り中又は印刷中に、所定枚数以下の印刷を行う第２原稿が第２原稿トレイに載置されたとき、第１および第２原稿の読取りを並行して行わせ、第２原稿の読取り終了時点で、第１原稿の読取り又は印刷が行われている時、それを中断して第２原稿の印刷を行わせる請求項４記載の画像形成装置。
【請求項６】
請求項１の画像読取り装置と、前記画像読取り装置で読取られた画像を印刷する印刷部と、第１および第２読取り部で読み取られた各画像が印刷される頁を指定する入力部と、指定された頁に各画像が印刷されるように印刷部を制御する印刷制御部とを備える画像形成装置。
【発明の詳細な説明】
【技術分野】
【０００１】
この発明は画像読取り装置とそれを用いた画像形成装置に関する。
【背景技術】
【０００２】
この発明に関連する従来の画像読取り装置としては、読取りセンサを複数有して、原稿の搬送中に両面同時読取りが可能な読取り装置において、給紙部を２つ有し、１つの原稿トレイから２方向に給紙した原稿を画像面が外側を向くように２枚重ねて、原稿の搬送中に同時読取りを行うようにして片面原稿の読取り効率を向上させたものが知られている（例えば、特許文献１参照）。
【０００３】
また、１つの原稿トレイと２つの原稿搬送経路と２つの画像読取り手段を備え、画像読取り手段の１つは、２つの原稿搬送経路のいずれかを搬送される原稿を読取り可能な位置に、選択的に配置可能であり、両面流し読み時には、２つの画像読取り手段により、原稿の両面を同時に読取り、片面流し読み時には、原稿は２つの原稿搬送経路に交互に搬送され、２つの画像読取り手段が、２枚の原稿の片面を同時に読み取るようにして片面原稿の読取り効率を向上させた装置も知られている（例えば、特許文献２参照）。
【先行技術文献】
【特許文献】
【０００４】
【特許文献１】特開２００６−２０６２６９号公報
【特許文献２】特開２００６−２１７０３３号公報
【発明の概要】
【発明が解決しようとする課題】
【０００５】
しかしながら、従来の画像読取り装置は、原稿トレイを１つしか備えないため、２種類の原稿を同時に読取ることができないという問題点があった。この発明はこのような事情を考慮してなされたもので、２つの原稿トレイを備えて２種類の原稿を同時に効率よく読取ることが可能な画像読取り装置と、それを用いた画像形成装置とを提供するものである。
【課題を解決するための手段】
【０００６】
この発明は、第１および第２読取り部と、第１および第２原稿をそれぞれ載置する第１および第２原稿トレイと、第１原稿トレイから第１原稿を第１読取り部へ搬送して第１原稿の第１面を読み取らせる第１搬送路と、第１読取り部で読取られた第１原稿を第２読取り部へ搬送して第１原稿の第２面を読み取らせる第２搬送路と、第２原稿トレイから第２原稿を第１読取り部へ搬送して第２原稿の第１面を読取らせる第３搬送路と、第１原稿トレイから第１原稿を第１読取り部を迂回して第２搬送路へ搬送し第２読取り部に第１原稿の第１面を読取らせる第４搬送路と、第１原稿トレイからの第１原稿が第１搬送路又は第４搬送路へ選択的に搬送されるように搬送路を切り換える切換え部材と、読取り条件を設定する読取り条件入力部と、設定された読取り条件に応じて第１および第２読取り部と第１〜４搬送路と切換え部材を制御する読取り制御部とを備える画像読取り装置を提供するものである。
【発明の効果】
【０００７】
この発明によれば、切換え部材を切換えることにより、第１および第２原稿トレイの原稿の各片面を同時に読取るモードと、第１原稿トレイの原稿の両面と第２原稿トレイの原稿の片面とを交互に読取るモードとを選択的に実行できるので、２種類の原稿を効率よく読取ることが可能となる。
【図面の簡単な説明】
【０００８】
【図１】この発明の画像読取り装置の構成説明図である。
【図２】図１に示す画像読取り装置の制御系のブロック図である。
【図３】図１に示す画像読取り装置の動作説明図である。
【図４】図１に示す画像読取り装置の動作を示すフローチャートである。
【図５】この発明に係る画像形成装置の構成説明図である。
【図６】図５に示す画像形成装置の制御系のブロック図である。
【図７】図５に示す画像形成装置の動作を示すフローチャートである。
【発明を実施するための形態】
【０００９】
この発明の画像読取り装置は、第１および第２読取り部と、第１および第２原稿をそれぞれ載置する第１および第２原稿トレイと、第１原稿トレイから第１原稿を第１読取り部へ搬送して第１原稿の第１面を読み取らせる第１搬送路と、第１読取り部で読取られた第１原稿を第２読取り部へ搬送して第１原稿の第２面を読み取らせる第２搬送路と、第２原稿トレイから第２原稿を第１読取り部へ搬送して第２原稿の第１面を読取らせる第３搬送路と、第１原稿トレイから第１原稿を第１読取り部を迂回して第２搬送路へ搬送し第２読取り部に第１原稿の第１面を読取らせる第４搬送路と、第１原稿トレイからの第１原稿が第１搬送路又は第４搬送路へ選択的に搬送されるように搬送路を切り換える切換え部材と、読取り条件を設定する読取り条件入力部と、設定された読取り条件に応じて第１および第２読取り部と第１〜４搬送路と切換え部材を制御する読取り制御部とを備えることを特徴とする。
【００１０】
読取り条件入力部が、第１および第２読取り部の読取り解像度を設定する機能をさらに備えてもよい。
読取り条件設定部によって、第１原稿の両面と第２原稿の片面の読取りが設定されたとき、読取り制御部は、第１原稿が第１搬送路に搬送されるように切り換え部材を切り換え、第１および第２原稿の第１面が第１読取り部で交互に読み取られ、かつ、第１原稿の第２面が第２読取り部で読み取られるように、切り換え部材と、第１および第２読取り部と、第１，第２および第３搬送路とを制御してもよい。
【００１１】
この発明は、別の観点から前記画像読取り装置と、前記画像読取り装置で読取った画像を印刷する印刷部と、印刷条件を設定する印刷条件設定部と、設定された印刷条件に応じて印刷部を制御する印刷制御部を備えた画像形成装置を提供するものである。
【００１２】
読取り制御部および印刷制御部は、第１原稿の読取り又は印刷中に所定枚数以下の印刷を行う第２原稿が第２原稿トレイに載置されたとき、第１および第２原稿の読取りを並行して行い、第２原稿の読取り終了時点で、第１原稿の読取り又は印刷が行われている時、それを中断して第２原稿の印刷を行わせてもよい。
【００１３】
この発明は、さらに別の観点から前記画像読取り装置と、前記画像読取り装置で読取られた画像を印刷する印刷部と、第１および第２読取り部で読取られた各画像が印刷される頁を指定する入力部と、指定された頁に各画像が印刷されるように印刷部を制御する印刷制御部とを備える画像形成装置を提供するものである。
【００１４】
以下、図面に示す実施形態を用いてこの発明を詳述する。
画像読取り装置
図１はこの発明の画像読取り装置を示す構成説明図である。
図１に示すように、画像読取り装置１００は、第１読取り部１と、第２読取り部２と、第１原稿３ａを載置する第１原稿トレイ３と、第２原稿４ａを載置する第２原稿トレイ４と、第１原稿トレイ３から第１原稿３ａを第１読取り部１へ搬送して第１原稿３ａの第１面（下面）を読み取らせる第１搬送路５と、第１読取り部１で読取られた第１原稿３ａを第２読取り部２へ搬送して第１原稿３ａの第２面（上面）を読み取らせる第２搬送路６と、第２原稿トレイ４から第２原稿４ａを第１読取り部１へ搬送して第２原稿４ａの第１面（下面）を読取らせる第３搬送路７と、第１原稿トレイ３から第１原稿３ａを第１読取り部を迂回して第２搬送路６へ搬送し第２読取り部２に第１原稿の第１面を読取らせる第４搬送路８とを備える。
【００１５】
さらに、画像読取り装置１００は、第１原稿トレイ３からの第１原稿３ａが第１搬送路５又は第４搬送路８のいずれかへ選択的に搬送されるように搬送路を切換える切換えガイド（切換え部材）９を備える。
【００１６】
また、第１原稿トレイ３および第２原稿トレイ４は、原稿の有無を検知する第１原稿センサ１３および第２原稿センサ１４をそれぞれ備える。
さらに、原稿を一枚ずつ搬出するピックアップローラ１Ｐ，３Ｐが第１原稿トレイ３および第２原稿トレイ４に設けられている。
【００１７】
また、第１読取り部１には、原稿の有無を検知する読取り部センサ１０が設けられ、第１搬送路５にはレジストローラ１Ｒが設けられ、第２搬送路６には搬送ローラ２ａ〜２ｅと、排紙ローラ２ｆが設けられる。
【００１８】
また、第３搬送路７には、搬送ローラ３ａ，３ｂおよび排紙ローラ３ｃが設けられる。第２搬送路６を搬送された原稿は、排紙ローラ２ｆによって排紙トレイ１５に排紙され、第３搬送路７を搬送された原稿は、排紙ローラ３ｃによって排紙トレイ１６に排紙されるようになっている。
【００１９】
図２は、図１に示す画像読取り装置１００の制御系を示すブロック図である。
図２に示すように、読取り制御部５１は、第１読取り部１，第２読取り部２，読取り部センサ１０，第１原稿センサ１３，第２原稿センサ１４，および読取り条件入力部５７からの出力を受けて、ピックアップローラ１Ｐを駆動するステッピングモータ５２，搬送ローラ２ａ〜２ｅおよび排紙ローラ２ｆを駆動するステッピングモータ５３，ピックアップローラ３Ｐおよび搬送ローラ３ａ，３ｂおよび排紙ローラ３ｃを駆動するステッピングモータ５４，第１レジストローラ１Ｒを駆動するステッピングモータ５５，第２レジストローラ３Ｒを駆動するステッピングモータ５６および切換えガイドを駆動する電磁ソレノイド５７を制御するようになっている。
【００２０】
なお、読取り制御部５１は、ＣＰＵ，ＲＯＭ，ＲＡＭからなるマイクロコンピュータ，ステッピングモータ５２〜５６および電磁ソレノイド５７を駆動するドライバー回路を備える。
【００２１】
また、第１読取り部１には、例えば、密着形センサ（ＣＩＳ）が使用され、第２読取り部２には、例えば、ＣＣＤと縮小光学系とを組合せたものが使用される。
また、第１および第２原稿センサ１３，１４には、接触式又は光学式のセンサが好適に用いられる。
【００２２】
第１および第２レジストローラ１Ｒ，３Ｒは独立したステッピングモータ５５，５６で駆動するようにしているが、他のステッピングモータと電磁クラッチを組合せて駆動するようにしてもよい。
【００２３】
また、読取り条件入力部５７は、次に説明する各種読取りモードや読取り解像度など種々の読取り条件の手動設定や装置の「起動」の指示を行うためのキーボード，マウス又はタッチパネル、および外部からの設定信号を受入れるための信号入力端子や外部へ画像信号を出力する出力端子などを備える。
【００２４】
このような構成における動作を次に説明する。
（１）第１読取りモード
読取り条件入力部５７においてこのモードが設定されると、切換えガイド９が図１に示す状態に保持される。
【００２５】
次に、第１原稿３ａが第１原稿トレイ３に載置され、読取り条件入力部５７において「起動」が入力されると、ピックアップローラ１Ｐおよびレジストローラ１Ｒが駆動して第１原稿トレイ３から第１原稿３ａを一枚ずつ取り出し、第１搬送路５を介して第１読取り部１に搬送する。
【００２６】
第１原稿３ａはその第１面が第１読取り部１によって読取られ、搬送ローラ２ａ〜２ｄによって第２搬送路６を通って第２読取り部２へ搬送される。第１原稿３ａはその第２面が第２読取り部２によって読取られ、搬送ローラ２ｅと排紙ローラ２ｆによって排紙トレイ１５に排出される。この時、第１読取り部１および第２読取り部２で読取られた画像データは、読取り制御部５１のＲＡＭに格納される。
【００２７】
（２）第２読取りモード
読取り条件入力部５７において、このモードが設定されると、切換えガイド９が図１に示す位置から図３に示す位置に切換えられる。
【００２８】
図３に示すように、第１原稿３ａが第１原稿トレイ３に載置され、読取り条件入力部５７において「起動」が入力されると、ピックアップローラ１Ｐおよびレジストローラ１Ｒが駆動して第１原稿トレイ３から第１原稿３ａを一枚ずつ取出し、第１読取り部１を迂回して第４搬送路８を介して第２搬送路６に搬送する。
【００２９】
第１原稿３ａは搬送ローラ２ａ〜２ｄによって第２搬送路６を通って第２読取り部２へ搬送される。第１原稿３ａはその第２面（第１原稿トレイ３に載置時の上面）が第２読取り部２によって読取られ、搬送ローラ２ｅと排紙ローラ２ｆによって排紙トレイ１５に排出される。この時、第２読取り部２で読取られた画像データは読取り制御部５１のＲＡＭに格納される。
【００３０】
また、第２読取りモードにおいて、第２原稿４ａが第２原稿トレイ４に載置され、読取り条件入力部５７において「起動」が入力されると、ピックアップローラ３Ｐが駆動して第２原稿トレイ４から第２原稿４ａを一枚ずつ取出し、第３搬送路７に搬送する。第２原稿４ａは搬送ローラ３ａ，３ｂとレジストローラ３Ｒによって第３搬送路７を通って第１読取り部１へ搬送される。
【００３１】
第２原稿４ａはその第１面（第２原稿トレイ４に載置時の下面）が第１読取り部１に読取られ、排紙ローラ３ｃによって排紙トレイ１５に排出される。この時、第１読取り部１で読取られた画像データは読取り制御部５１のＲＡＭに格納される。
【００３２】
また、第２読取りモードにおいて、第１原稿３ａが第１原稿トレイ３に、第２原稿４ａが第２原稿トレイ４にそれぞれ同時に載置され、読取り条件入力部５７において「起動」が入力されると、前述の２つの動作が同時に行われ、第１原稿３ａの第２面が第２読取り部２に、第２原稿４ａの第１面が第１読取り部１に、それぞれ読取られる。この時、第１および第２読取り部１，２で読取られた画像データは読取り制御部５１のＲＡＭに格納される。
【００３３】
（３）第３読取りモード
読取り条件入力部５７において、このモードが設定されると、切換えガイド９は図１に示す位置に設定される。そして、図１に示すように、第１原稿３ａが第１原稿トレイ３に、第２原稿４ａが第２原稿トレイ４にそれぞれ載置され、読取り条件入力部５７において「起動」が入力されると、読取り動作は図４に示すフローチャートに基づいて行われる。
【００３４】
つまり、第１原稿３ａが第１原稿トレイ３に載置されていることが第１原稿センサ１３によって確認されると（ステップＳ１）、ピックアップローラ１Ｐが駆動して１枚の第１原稿３ａを第１原稿トレイ３から取り出す。
【００３５】
第１読取り部１における原稿の有無が読取り部センサ１０によって確認され（ステップＳ２）、原稿が無い場合には、第１レジストローラ１Ｒが駆動して第１原稿３ａを第１読取り部１へ搬送する（ステップＳ３）。
第１原稿３ａの第１面が第１読取り部１により読取られると、第１原稿３ａは第２読取り部２へ搬送され、その第２面が読取られる（ステップＳ４，Ｓ５）。
【００３６】
次に、第２原稿４ａが第２原稿トレイ４に載置されていることが第２原稿センサ１４によって確認されると（ステップＳ６）、ピックアップローラ３ａと搬送ローラ３ａ，３ｂが駆動して１枚の第２原稿４ａを第２原稿トレイから取り出し、搬送路７で待機させる。
【００３７】
第１読取り部１における原稿の有無が読取り部センサ１０によって確認され（ステップＳ７）、原稿が無い場合にはレジストローラ３Ｒが駆動して第２原稿４ａを第１読取り部１へ搬送する（ステップＳ８）。第２原稿４ａの第１面が第１読取り部１により読取られると（ステップＳ９）、読取られた第２原稿４ａは排紙トレイ１６へ排出される（ステップ１０，１１）。
【００３８】
なお、ステップＳ１において、第１原稿３ａが第１原稿トレイ３に載置されていない場合は、ルーチンはステップＳ６へ進む。また、ステップＳ６において、第２原稿４ａが第２原稿トレイ４に載置されていない場合は、ルーチンはステップＳ１０へ進む。
このようにして、第１原稿３ａの両面の読取り動作と、第２原稿４ａの片面の読取り動作が交互に行われる。
【００３９】
画像形成装置
図５はこの発明に係る画像形成装置を示す構成説明図である。
図５に示すように、画像形成装置２００は、図１に示す画像読取り装置１００と、画像形成部１０１と、レーザー露光装置１２２と、定着装置１２３とを備える。
【００４０】
画像形成部１０１は、表面に静電潜像が形成される感光体ドラム１１７と、感光体ドラム１１７の表面を一様に帯電させる帯電装置１２５と、感光体ドラム１１７の表面にトナーを供給して静電潜像をトナー像として現像する現像装置１２０と、現像装置１２０にトナーを供給するトナー収容部１１０を備える。
【００４１】
また、画像形成部１０１は、さらに、クリーニング装置１２６、転写装置１２４、給紙カセット１２１を備える。
【００４２】
感光体ドラム１１７は、図示しない支持手段によって軸中心に回転駆動可能に支持され、その表面に静電潜像およびトナー像が形成されるローラ状部材で構成されている。
【００４３】
帯電装置１２５は、感光体ドラム１１７にコロナ放電を行うものであり鋸歯型帯電器が採用されている。
【００４４】
また、帯電装置１２５には図示しない電源が接続され、帯電装置１２５に電圧を印加する。すなわち、帯電装置１２５は、電源から電圧の印加を受けて、感光体ドラム１１７表面を所定の極性および電位に帯電させるようにされている。
【００４５】
レーザー露光装置１２２は、画像読取り装置１００において読み取られる原稿の画像データを受けて、画像データに応じた画像ドット光を帯電状態にある感光体ドラム１１７の表面に照射する。これによって、感光体ドラム１１７表面に、画像データに応じた静電潜像が形成される。このレーザー露光装置１２２として、光源を含むレーザースキャニング装置が用いられる。
【００４６】
レーザースキャニング装置は、たとえば、光源、ポリゴンミラー、ｆθレンズ、反射ミラーなどを組合せた装置である。光源としては、たとえば、半導体レーザー、ＬＥＤアレイ、エレクトロルミネッセンス（ＥＬ）素子などを使用できる。
【００４７】
転写装置１２４は、ローラ状部材で構成され、図示しない支持部材によって回転自在に支持され駆動手段によって回転し、かつ感光体ドラム１１７に圧接するように設けられている。
【００４８】
感光体ドラム１１７と転写装置１２４との圧接部（転写ニップ部）に、感光体ドラム１１７の回転によってトナー像が搬送されるのに同期して、給紙カセット１２１から２組の給紙ローラ１２７を介して記録シートが１枚ずつ供給される。
【００４９】
記録媒体が感光体ドラム１１７と転写装置１２４との転写ニップ部を通過することによって、感光体ドラム１１７表面のトナー像が記録シートに転写される。
転写装置１２４には図示しない電源が接続され、トナー像を記録シートに転写する際に、トナー像を構成するトナーの帯電極性とは逆極性の電圧を転写装置１２４に印加する。これによって、トナー像が記録シートに円滑に転写される。
【００５０】
クリーニング装置１２６は、図示しないクリーニングブレードと、トナー貯留槽とを備えている。クリーニングブレードは、感光体ドラム１１７の軸に平行に延設された板状部材で構成され、この板状部材の短手方向の一端が感光体ドラム１１７表面に当接するように設けられている。
【００５１】
このクリーニングブレードは、回転する感光体ドラム１１７表面に当接することで、記録媒体にトナー像を転写した後に感光体ドラム１１７表面に残留するトナー、紙粉などを感光体ドラム１１７表面から取り除くようになっている。
【００５２】
トナー貯留槽は、内部空間を有する容器状部材で構成され、クリーニングブレードによって除去されたトナーを一時的に貯留する。このように構成されたクリーニング装置１２６によって、トナー像を転写した後の感光体ドラム１１７表面が清浄化される。
【００５３】
定着装置１２３は、定着ローラ１３２と加圧ローラ１３３とを備えている。定着ローラ１３２は、ローラ状部材で構成され、図示しない支持部材によって回転自在に支持され、かつ図示しない駆動手段によって軸を中心に回転するようになっている。
【００５４】
定着ローラ１３２は、その内部に図示しない加熱部材を有し、転写ニップ部から搬送される記録シートに担持される未定着トナー像を構成するトナーを加熱し、溶融させて記録シートに定着させるようになっている。
【００５５】
加圧ローラ１３３は、ローラ状部材で構成され、回転自在に支持されかつ図示しない加圧部材によって定着ローラ１３２に対して圧接するようになっている。この加圧ローラ１３３は、定着ローラ１３２の回転に従動回転するようにされている。定着ローラ１３２と加圧ローラ１３３との圧接部が定着ニップ部である。
【００５６】
加圧ローラ１３３は、定着ローラ１３２によるトナー像の記録シートへの加熱定着に際し、溶融状態にあるトナーを記録媒体に対して押圧することによって、トナー像の記録シートへの定着を促進する。
【００５７】
定着装置１２３においては、トナー像が転写された記録シートが定着ニップ部を通過する際、トナー像を構成するトナーを溶融させるとともに記録シートに押圧され、トナー像が記録シートに定着する。画像が印刷された記録シートは、２組の排紙ローラ１２８を介して、排紙トレイ１２９に排出される。
【００５８】
給紙カセット１２１は、普通紙、コート紙、カラーコピー用紙、ＯＨＰフィルムなどの記録シートを収容するトレイである。図示しないピックアップローラと、搬送ローラ１２７とによって、感光体ドラム１１７表面のトナー像が転写ニップ部に搬送されるのに同期して、記録シートが１枚ずつ送給される。
【００５９】
図６は図５に示す画像形成装置２００の制御系を示すブロック図である。
図６に示すように、印刷制御部１４０は、印刷条件入力部１４１からの出力を受けて、画像読取り装置１００，画像形成部１０１，レーザー露光装置１２２，定着装置１２３などを制御するようになっている。
【００６０】
なお、印刷制御部１４０は、ＣＰＵ，ＲＯＭ，ＲＡＭからなるマイクロコンピュータと、画像形成部１０１，レーザー露光装置１２２，定着装置１２３を駆動するドライバー回路を備える。また、印刷条件入力部１４１は、前記原稿読み取り条件の手動設定、および次に説明する各種印刷モードや印刷濃度、印刷倍率、印刷枚数などの印刷条件の手動設定や、装置の「起動」の指示などを行うためのキーボード、マウスまたはタッチパネルなどを備える。
【００６１】
このような構成における動作を次に説明する。
（１）自動割り込みモード
印刷条件入力部１４１においてこのモードが設定されると、それに連動して画像読取り装置１００は前述の第２読取りモードに設定される。
このモードは、第１原稿３ａ（図３）の読取り印刷動作中に第２原稿４ａ（図３）の読取り印刷動作が行われる場合、第２原稿４ａの印刷枚数が所定値より少ないと第２原稿４ａの印刷が優先して行われるモードである。
【００６２】
この動作を図７に示すフローチャートを用いて説明する。
まず、図３に示すように複数枚の第１原稿３ａが第１原稿トレイ３に載置され印刷条件入力部１４１において「起動」が入力されると、第１原稿３ａの読取りが順次開始される（ステップＳ１１）。
【００６３】
次に、複数枚の第２原稿４ａが第２原稿トレイ４に載置されると、第２原稿４ａの読取りも順次開始される（ステップＳ１２）。そして、全ての第２原稿４ａの読取りも完了しない間に（ステップＳ１３）、全ての第１原稿３ａの読取りが完了すると（ステップＳ１４）、第１原稿３ａの印刷が開始される（ステップＳ１５）。
【００６４】
続いて、全ての第２原稿４ａの読取りが完了すると（ステップＳ１６）、予め設定された第２原稿４ａの印刷枚数Ｎが所定枚数Ｎ0と比較される（ステップＳ１７）。
Ｎ≦Ｎ0の場合には、第１原稿３ａの印刷は中断され（ステップＳ１８）、第２原稿４ａの印刷が優先的に行われる（ステップＳ１９）。
そして、第２原稿４ａのＮ枚の印刷が完了すると、第１原稿３ａの残りの印刷が行われる（ステップＳ２０）。
【００６５】
また、ステップＳ１２において、第２原稿４ａの読取り動作が開始される前に全ての第１原稿３ａの読取りが完了すると（ステップＳ２５）、第１原稿３ａの印刷が開始される（ステップＳ２６）。
【００６６】
続いて、第２原稿４ａの読取りが開始され（ステップ２７）、第１原稿３ａの印刷が完了する前に（ステップＳ２８）、全ての第２原稿４ａの読取りが完了すると（ステップＳ２９）、第２原稿４ａの印刷枚数Ｎが所定枚数Ｎ0と比較される（ステップＳ３０）。
【００６７】
Ｎ≦Ｎ0の場合には、第１原稿３ａの印刷は中断され（ステップＳ３１）、第２原稿４ａの印刷が優先的に行われる（ステップＳ３２）。そして、第２原稿４ａのＮ枚の印刷が完了すると、第１原稿３ａの残りの印刷が行われる（ステップＳ３３）。
【００６８】
また、ステップＳ１３において、第２原稿４ａの読取りが完了した場合には、第２原稿４ａの印刷が行われ（ステップ２１）、その印刷が完了した後に第１原稿３ａの読取りが完了すると（ステップＳ２２）、第１原稿３ａの印刷が行われる（ステップＳ２０）。
【００６９】
また、ステップＳ１７において、Ｎ＞Ｎ0の場合には、第１原稿３ａの印刷が行われ（ステップＳ２３）、その印刷が完了した後に、第２原稿４ａの印刷が行われる（ステップＳ２４）。
また、ステップＳ２７において、第２原稿４ａの読取りがまだ開始されていない場合は、第１原稿３ａの印刷が行われる（ステップＳ３４）。
【００７０】
また、ステップＳ２８において、第１原稿３ａの印刷が完了している場合には、第２原稿４ａの読取りが完了すると、直ちに第２原稿４ａの印刷が行われる（ステップＳ２４）。
また、ステップＳ３０においてＮ＞Ｎ0の場合には第１原稿３ａの印刷が行われた後に第２原稿４ａの印刷が行われる（ステップＳ３６，Ｓ３７）。
【００７１】
（２）自動編集モード
このモードは、第１原稿３ａと第２原稿４ａを読取り、読取った画像をそれぞれ指定された頁に印刷するモードである。
印刷条件入力部１４１においてこのモードが設定されると、画像読取り装置１００はそれに連動して第２読取りモードに設定される。そして、例えば、第１原稿３ａとして「写真原稿」が、第２原稿４ａとして「文字原稿」がそれぞれ設定され、さらに、第１原稿３ａと第２原稿４ａの印刷される頁が指定される。
また、写真原稿用の解像度および印刷濃度（階調）と、文字原稿用の解像度および印刷濃度（階調）が設定される。
そして、第１原稿トレイ３に複数枚の写真原稿のみが重ねて載置され、第２原稿トレイ４に複数枚の文字原稿のみが載置される。
【００７２】
次に、印刷条件入力部１４１において「起動」が入力されると、第１原稿（写真原稿）３ａと第２原稿（文字原稿）４ａがそれぞれ、設定された解像度で、第１読取り部１と第２読取り部２に順次読み取られる。読取られた画像データは給紙カセット１２１から供給される記録シートの指定された頁に順次適正な階調で印刷され、排紙トレイ１２９に排出されて積重ねられる。
【符号の説明】
【００７３】
１    第１読取り部
２    第２読取り部
３    第１原稿トレイ
３ａ  第１原稿
４    第２原稿トレイ
４ａ  第２原稿
５    第１搬送路
６    第２搬送路
７    第３搬送路
８    第４搬送路
９    切換えガイド
１Ｒ  第１レジストローラ
３Ｒ  第２レジストローラ
２ａ〜２ｅ  搬送ローラ
３ａ，３ｂ  搬送ローラ
１Ｐ，３Ｐ  ピックアップローラ
２ｆ，３ｃ  排紙ローラ
１５，１６  排紙トレイ
１３  第１原稿センサ
１４  第２原稿センサ
１０  読取り部センサ
１００  画像読取り装置
１０１  画像形成部
１１０  トナー収容部
１１７  感光体ドラム
１２０  現像装置
１２１  給紙カセット
１２２  レーザー露光装置
１２３  定着装置
１２４  転写装置
１２５  帯電装置
１２６  クリーニング装置
１２７  給紙ローラ
１２８  排紙ローラ
１２９  排紙トレイ
１３２  定着ローラ
１３３  加圧ローラ
２００  画像形成装置
【図１】
2012004808.tif 000003
【図２】
2012004808.tif 000004
【図３】
2012004808.tif 000005
【図４】
2012004808.tif 000006
【図５】
2012004808.tif 000007
【図６】
2012004808.tif 000008
【図７】
2012004808.tif 000009